(57)【特許請求の範囲】
【請求項１】
作業台本体（１）とワーク受け治具（２）とよりなり、プレス板金部品をハンドワークするときに用いる作業台において、その作業台本体（１）は３本の直線部材（１１、１１、１２）を三角形状に組んだ左右一対のサイドフレーム（１０、１０）とその一対のサイドフレーム（１０、１０）の三角形の３頂点から互いのサイドフレーム（１０）を連結する３本の水平部材（１３、１４、１４）とで全体の骨格が形成され、そのサイドフレーム（１０）の上部の三角形状を成す面には前記ワーク受け治具（２）を固定する固定板（１５）が固着され、その固定板（１５）の中央には三角形を成す面に直交する回転軸（１５ａ）が固設され、その回転軸（１５ａ）の中心から距離（Ｒ）の半径の円周上で前記回転軸（１５ａ）に対して左右対称位置にワーク受け治具（２）を固定するワーク受け治具固定用孔（１５ｂ、１５ｂ）が設けられており、そして前記ワーク受け治具（２）はワーク支持部材（３）と回転支持板（４）とで構成され、その回転支持板（４）は二等辺三角形状をしており、その頂角位置に前記回転軸（１５ａ）に嵌合する回転軸貫入穴（４ａ）が設けられ、その底辺付近の２箇所には取付け孔（４ｂ、４ｂ）が設けられ、前記ワーク支持部材（３）には長孔（３ｂ、３ｂ）が２箇所に形成されてその回転支持板（４）の取付孔（４ｂ、４ｂ）に締結部材（Ｔ１）によって調整可能に締結され、さらに回転支持板（４）には回転軸貫入穴（４ａ）の中心から半径（Ｒ）の円周上に中心軸を有する円弧状の長孔（４ｃ）が形成されて前記ワーク受け治具固定用孔（１５ｂ）と締結部材（Ｔ２）によってワーク受け治具（２）が任意の角度で固定されていることを特徴とするプレス作業のハンドワーク用作業台。
【請求項２】
作業台本体（１）とワーク受け治具（２）とよりなり、プレス板金部品をハンドワークするときに用いる作業台において、その作業台本体（１）は３本の直線部材（１１、１１、１２）を三角形状に組んだ左右一対のサイドフレーム（１０、１０）とその一対のサイドフレーム（１０、１０）の三角形の３頂点から互いのサイドフレーム（１０）を連結する３本の水平部材（１３、１４、１４）とで全体の骨格が形成され、そのサイドフレーム（１０）の上部の三角形状を成す面には前記ワーク受け治具（２）を固定する固定板（１５）が固着され、その固定板（１５）の中央には三角形を成す面に直交する回転軸（１５ａ）が固設され、その回転軸（１５ａ）の中心から距離（Ｒ）の半径の円周上に前記ワーク受け治具（２）を固定するための多数のワーク受け治具固定用孔（１５ｂ、・・・）が設けられており、そして前記ワーク受け治具（２）はワーク支持部材（３）と回転支持板（４）とで構成され、その回転支持板（４）は二等辺三角形状をしており、その頂角位置に前記回転軸（１５ａ）に嵌合する回転軸貫入穴（４ａ）が設けられ、その底辺付近の２箇所に取付け孔（４ｂ、４ｂ）が設けられ、前記ワーク支持部材（３）には長孔（３ｂ、３ｂ）が２箇所に形成されてその回転支持板（４）の取付け孔（４ｂ、４ｂ）に締結部材（Ｔ２）によって調整可能に締結され、さらに回転支持板（４）には前記回転軸貫入穴（４ａ）の中心から半径（Ｒ）の位置に１個の位置決め孔（４ｄ）が形成され締結部材（Ｔ２）により前記ワーク受け治具固定孔（１５ｂ）のいずれかとワーク受け治具（２）が締結されていることを特徴とするプレス作業のハンドワーク用作業台。
【発明の詳細な説明】
【０００１】
【発明の属する技術分野】
本発明は、プレス板金部品のハンドワーク時に用いる作業台に関する。
【０００２】
【従来の技術】
プレス板金部品の補修や、現行のプレス品を修正して新規の部品に仕立てる場合のハンドワークの作業台として、従来、固定型の平机が用いられていた。
しかし、固定型の平机を用いた場合は、作業姿勢が前屈みとなり勝ちな上、プレス板金部品（ワーク：以後プレス板金部品を「ワーク」と記載する）が大きな場合には奥側の作業がし辛いと言う欠点がある。
【０００３】
更に、ワークを反転させたり、裏側から叩かなくてはならぬ場合があり、固定のし直しを伴う反転作業や裏側から叩く作業はかなりの重労働となる。或いは片手でワークを押さえなくてはならない場合がある。
また、ハンドワーク作業では当て金、所謂「坊主床」を片手で持って修正部分の裏側に当てていなくてはならず、ワークが大きな場合はワークと平机の間に当て金を回し込むことが困難であった。
【０００４】
【発明が解決しようとする課題】
本発明は、上述した従来技術の問題点に鑑みて提案されたものであり、ワークの吊上げ、反転が安全且容易であり、任意の角度でワークを固定出来、ワーク及び治具の移動の容易化が図られ、作業性を向上させるプレス作業のハンドワーク用作業台の提供を目的としている。
【０００５】
【課題を解決するための手段】
本発明によれば、作業台本体（１）とワーク受け治具（２）とよりなり、プレス板金部品をハンドワークするときに用いる作業台において、その作業台本体（１）は３本の直線部材（１１、１１、１２）を三角形状に組んだ左右一対のサイドフレーム（１０、１０）とその一対のサイドフレーム（１０、１０）の三角形の３頂点から互いのサイドフレーム（１０）を連結する３本の水平部材（１３、１４、１４）とで全体の骨格が形成され、そのサイドフレーム（１０）の上部の三角形状を成す面には前記ワーク受け治具（２）を固定する固定板（１５）が固着され、その固定板（１５）の中央には三角形を成す面に直交する回転軸（１５ａ）が固設され、その回転軸（１５ａ）の中心から距離（Ｒ）の半径の円周上で前記回転軸（１５ａ）に対して左右対称位置にワーク受け治具（２）を固定するワーク受け治具固定用孔（１５ｂ、１５ｂ）が設けられており、そして前記ワーク受け治具（２）はワーク支持部材（３）と回転支持板（４）とで構成され、その回転支持板（４）は二等辺三角形状をしており、その頂角位置に前記回転軸（１５ａ）に嵌合する回転軸貫入穴（４ａ）が設けられ、その底辺付近の２箇所には取付け孔（４ｂ、４ｂ）が設けられ、前記ワーク支持部材（３）には長孔（３ｂ、３ｂ）が２箇所に形成されてその回転支持板（４）の取付孔（４ｂ、４ｂ）に締結部材（Ｔ１）によって調整可能に締結され、さらに回転支持板（４）には回転軸貫入穴（４ａ）の中心から半径（Ｒ）の円周上に中心軸を有する円弧状の長孔（４ｃ）が形成されて前記ワーク受け治具固定用孔（１５ｂ）と締結部材（Ｔ２）によってワーク受け治具（２）が任意の角度で固定されている。
【０００８】
また、本発明によれば、作業台本体（１）とワーク受け治具（２）とよりなり、プレス板金部品をハンドワークするときに用いる作業台において、その作業台本体（１）は３本の直線部材（１１、１１、１２）を三角形状に組んだ左右一対のサイドフレーム（１０、１０）とその一対のサイドフレーム（１０、１０）の三角形の３頂点から互いのサイドフレーム（１０）を連結する３本の水平部材（１３、１４、１４）とで全体の骨格が形成され、そのサイドフレーム（１０）の上部の三角形状を成す面には前記ワーク受け治具（２）を固定する固定板（１５）が固着され、その固定板（１５）の中央には三角形を成す面に直交する回転軸（１５ａ）が固設され、その回転軸（１５ａ）の中心から距離（Ｒ）の半径の円周上に前記ワーク受け治具（２）を固定するための多数のワーク受け治具固定用孔（１５ｂ、・・・）が設けられており、そして前記ワーク受け治具（２）はワーク支持部材（３）と回転支持板（４）とで構成され、その回転支持板（４）は二等辺三角形状をしており、その頂角位置に前記回転軸（１５ａ）に嵌合する回転軸貫入穴（４ａ）が設けられ、その底辺付近の２箇所に取付け孔（４ｂ、４ｂ）が設けられ、前記ワーク支持部材（３）には長孔（３ｂ、３ｂ）が２箇所に形成されてその回転支持板（４）の取付け孔（４ｂ、４ｂ）に締結部材（Ｔ２）によって調整可能に締結され、さらに回転支持板（４）には前記回転軸貫入穴（４ａ）の中心から半径（Ｒ）の位置に１個の位置決め孔（４ｄ）が形成され締結部材（Ｔ２）により前記ワーク受け治具固定孔（１５ｂ）のいずれかとワーク受け治具（２）が締結されている。
【０００９】
係る構成を具備する本発明によれば、三角形状のサイドフレーム構造により従来に比べ作業面の高さが高く、且、天板が無いために作業者は屈むことも無く、作業姿勢が楽になる。
ワーク受け治具の背面が空間となるので作業個所の裏面に当てがう当て金を回し込み易い。
ワーク受け治具が回動可能なため、ワークが反転出来、ワークの表裏両面の作業が容易になる。
また、ワーク受け治具に設けられた円弧状の長孔による角度調整機能により、ワークが適切な角度に固定され、ワークへの接近性も改善され作業姿勢が楽になる。
【００１０】
【発明の実施の形態】
以下、図１〜図６に基づいて、本発明の第１実施形態について説明する。
図１は、本発明の第１実施形態の全体構成を示す側面図である。
同図において、本発明のプレス作業のハンドワーク用作業台は、作業台本体１と、ワーク受け治具２とにより構成される。
尚、図１中符号７、８は夫々工具であるハンマーと作業者を示す。
【００１１】
図２および図３をも参照して、前記作業台本体１は、例えば、角パイプ製の３本の直線部材１１、１１、１２を三角形状に組んだ左右一対のサイドフレーム１０と該一対のサイドフレーム１０の三角形の３頂点からお互いのサイドフレーム１０を連結する３本の水平部材１３、１４、１４とで全体の骨格が形成されている。尚、図２、図３中、２点鎖線で示す形状は、ワーク受け治具２と、ワーク受け治具２に図示せぬ手段で固縛されたワーク（図では自動車用バンパ）である。
【００１２】
作業台本体１に関する以下の説明は、図２において左右対称であるので、右側面のみについて説明する。
前記サイドフレーム１０の上部には三角形を成す面に前記ワーク受け治具２を固定する固定板１５が固着されている。
そして、該固定板１５の中央には前記三角形を成す面に直交する回転軸１５ａが固設してあり、該回転軸１５ａの中心から距離Ｒなる半径の円周上で前記回転軸１５ａに対して左右対称位置には、前記ワーク受け治具２の回転支持板４を固定するワーク受け治具固定用孔１５ｂが各１個設けてある。
【００１３】
又、上記作業台本体１は従来の固定型平机に比べ、ワークの取付け位置（ワーク取付け位置は上述の様に可動であるので、代表位置としては回転軸中心と見做す）が高い。
【００１４】
図４〜図６を参照して、前記ワーク受け治具２の一方の構成部品であるワーク支持部材３には２箇所の長孔３ｂが形成されている(図５参照)。
【００１５】
前記ワーク受け治具２の他方の構成部品である回転支持板４（図６参照）は、概ね二等辺三角形状を呈し、頂角（図６においては下側）位置には作業台本体１の回転軸１５ａに嵌合する回転軸貫入穴４ａが、底辺（図６においては上側）近傍二個所にはワーク支持部材３を取り付ける取付け孔４ｂ、が設けられている。
また、前記回転軸貫入穴４ａの中心からＲなる半径の円周上に中心軸を有する円弧状の長孔４ｃが形成されている。
該円弧状の長孔４ｃは、ワーク受け治具２（回転支持板４）が作業台本体１の回転軸１５ａ周りに回動する際（即ち、前記作業台本体１の固定板１５に設けたワーク受け治具固定用孔１５ｂは、相対的に前記円弧状の長孔４ｃの中を移動することとなる）のガイド溝を兼ね、ワーク受け治具２を締結部材Ｔ２（例えば、ねじ類：図１参照）によって任意の角度で固定する場合の固定用の孔でもある。
【００１６】
そして、前記ワーク支持部材３の長孔３ｂと回転支持板４の取付け孔４ｂは、例えば、ボルトナットの組で構成される締結部材Ｔ１によってワーク支持部材３の長手方向に位置が調整（移動）可能に締結されている（図４参照）。
【００１７】
ここで、前記作業台本体１の底部の４隅にはキャスター６を設けるのが作業台本体１ごと移動可能として好ましい。
【００１８】
前記ワーク支持部材３のワーク支持面側の形状３ａは対応するワーク毎に専用の形状が好ましいが、汎用に向く形状であれば良い。
【００１９】
前記回転支持板４に設けたワーク支持部材３を取り付ける取付け孔４ｂが長孔で、ワーク支持部材３に設けた長孔３ｂが真円の孔であっても良い。
或いは、回転支持板４とワーク支持部材３双方の取付け孔が共に長孔であれば更に調整量（横方向への移動量）は大きくとれ、作業範囲が広められる。
【００２０】
本発明の第２実施形態に関して、図１０及び図１１を用いて説明する。
図１０は、第１実施形態の図３（作業台本体１の側面図）に対応するもので、且、固定板１５周りを拡大したものである。又図１１は第１実施形態の図６に対応する回転支持板４を示す部品図である。
【００２１】
第１実施例と異なる点は、第１実施例における回転支持板４の位置決め用長孔４ｃに対して、第２に実施形態では１個の位置決め孔４ｄとしたことと、呼応して作業台本体１の固定板に設けたワーク受け治具固定用孔１５ｂを第１実施形態の２個から第２実施形態では多数（図１０では５個）としたことである。
その他の構成に関しては第１実施形態と同じであり、以降の説明は省略する。
【００２２】
第１実施形態と第２実施形態の作用・効果の違いは、第１実施形態ではワーク受け治具の角度調整が一定角度範囲内で無段階であるが、第２実施形態では有限（図では５段階）となる。
【００２３】
係る構成を具備する本発明によれば、図１に示す様に、三角形状のサイドフレーム構造１０により従来に比べ作業面の高さが高く、且、天板が無いために作業者は屈むことも無く、作業姿勢が楽になる。  図１においてワーク受け治具の背面が空間となるので作業個所の裏面に当てがう当て金を回し込み易い。
ワーク受け治具２が作業台本体１に対して回動可能なため、図９及び図１の２点鎖線で示す様に、例えば、ワークである自動車用バンパ５が反転出来、反転前には困難であったバンパの表面５ａの作業が容易になる。
また、ワーク受け治具２の回転支持板４に設けられた円弧状の長孔４ｃによる角度調整機能（図１において、締結手段Ｔ２を緩めれば、作業台本体の回転軸１５ｂ周りに回転支持板４、即ちワーク受け治具２は回動可能となる）によりワークが適切な角度に固定され、ワークへの接近性も改善され作業姿勢が楽になる。
尚、図１は、図７に立体図として、又、図８に図７のＸ―Ｘ断面図として示される自動車用バンパをワーク５として、ワーク５の裏面５ｂが作業者８に対する手前となるように設置している。
作業台本体の底部にキャスターを設けることにより作業台ごと移動が出来る。
【００２４】
【発明の効果】
本発明の作用効果を以下に列記する。
（ａ）  サイドフレーム構造により作業面の高さが高くなり、作業者は屈むことも無く、作業姿勢が楽になる。
（ｂ）  ワーク受け治具が作業台本体に対して回動可能なため、ワークが簡単に反転出来る（労力の軽減と、所要時間の短縮が図られる）。
（ｃ）  回転支持板に設けられた円弧状の長孔による角度調整機能によりワークが適切な角度にセットされ、ワークへの接近性も改善され作業姿勢が楽になる。
（ｄ）  反転が容易となったため、従来やり辛かった個所の作業も容易になる。
（ｅ）  ワーク受け治具の背面が空間となるので作業個所の裏面に当てがう当て金を回し込み易い。
（ｆ）  （ａ）から（ｅ）が達成したことにより安全性が向上する。
（ｇ）  作業台本体の底部にキャスターを設けることにより作業台ごと移動が出来る。
【図面の簡単な説明】
【図１】本発明の第１実施形態の側面図。
【図２】本発明の第１及び第２実施形態の作業台本体の正面図。
【図３】本発明の第１実施形態の作業台本体の側面図。
【図４】本発明の第１実施形態のワーク受け治具の正面図。
【図５】本発明の第１及び第２実施形態のワーク受け治具の構成部品であるワーク支持部材の正面図。
【図６】本発明の第１実施形態のワーク受け治具の構成部品である回転支持板の正面図。
【図７】ワークの例としての自動車用バンパの立体図。
【図８】図７のＸ―Ｘ断面図。
【図９】本発明の第１実施例による作業様態の１例を示す図。
【図１０】本発明の第２実施形態の作業台本体の側面の部分拡大図。
【図１１】本発明の第２実施形態のワーク受け治具の構成部品である回転支持板の正面図。
【符号の説明】
１・・・作業台本体
２・・・ワーク受け治具
３・・・ワーク支持部材
４・・・回転支持板
５・・・ワーク
６・・・キャスター
７・・・ハンマー
１０・・・サイドフレーム
【図１】
0004544604.tif 000002
【図２】
0004544604.tif 000003
【図３】
0004544604.tif 000004
【図４】
0004544604.tif 000005
【図５】
0004544604.tif 000006
【図６】
0004544604.tif 000007
【図７】
0004544604.tif 000008
【図８】
0004544604.tif 000009
【図９】
0004544604.tif 000010
【図１０】
0004544604.tif 000011
【図１１】
0004544604.tif 000012